(57)【要約】      （修正有）【課題】フェンス等の立ち壁や支柱型構造体へ植栽容器を取り付けた花卉植栽構造を提供する。【解決手段】上部に開口部２を、底部に排水口３を、側面に植付部４をそれぞれ設けてあり、開口部から培土２０を充填して成る植栽容器１と、植栽容器を取付可能な構造のフェンス３０等の立ち壁と、花卉類４０を植え込んで成る育苗ポット５０とより成り、植栽容器は、植付部を立ち壁と相対峙する配置として立ち壁の片側へ取り付けられており、立ち壁の反対側から育苗ポットが植栽容器の植込部へ植え込まれてその花卉類が立ち壁の反対側へ露出する構成とされている。【選択図】  図１
2005270052.tif 000002
【特許請求の範囲】
【請求項１】
上部に開口部を、底部に排水口を、側面に植付部をそれぞれ設けてあり、前記開口部から培土を充填して成る植栽容器と、前記植栽容器を取付可能な構造のフェンス等の立ち壁と、花卉類を植え込んで成る育苗ポットとより成り、
前記植栽容器は、前記植付部を立ち壁と相対峙する配置として立ち壁の片側へ取り付けられており、立ち壁の反対側から育苗ポットが前記植栽容器の植込部へ植え込まれてその花卉類が立ち壁の反対側へ露出する構成とされていることを特徴とする、花卉植栽構造。
【請求項２】
植栽容器を隠蔽する不織布等のカバーが立ち壁における植栽容器の取り付け側面へ取り付けられていることを特徴とする、請求項１に記載した花卉植栽構造。
【請求項３】
上部に開口部を、底部に排水口を、側面に植付部をそれぞれ設けてあり、前記開口部から培土を充填して成る植栽容器と、前記植栽容器を取付可能な構造の支柱型構造体と、花卉類を植え込んで成る育苗ポットとより成り、
前記植栽容器は、その植付部が外側に向く配置で支柱型構造体の外周面へ取り付けられており、育苗ポットが前記植栽容器の植付部へ植え込まれていることを特徴とする、花卉植栽構造。
【請求項４】
前記植栽容器又は支柱型構造体を隠蔽する化粧カバーが支柱型構造体の高さ方向の周面全体に巻かれ、少なくとも前記育苗ポットと花卉類のみが露出する構成とされていることを特徴とする、請求項３に記載した花卉植栽構造。
【請求項５】
立ち壁及び支柱型構造体に取り付けられる複数個の植栽容器は、上下方向に一定の間隔をあけた列状の配置で取り付けられていること特徴とする、請求項１〜４のいずれか一に記載した花卉植栽構造。
【請求項６】
植栽容器は底部を切り取り、側面に植付部を設けた廃棄ペットボトルを倒立させ、前記底部を切り取った開口部から培土を収納して成ることを特徴とする、請求項１〜５のいずれか一に記載した花卉植栽構造。
【請求項７】
植栽容器の排水口の上に、培土を支持するフィルターが設置されていることを特徴とする、請求項１〜６のいずれか一に記載した花卉植栽構造。
【請求項８】
植栽容器の下向きの排水口と、下位の植栽容器の上向き開口部との間がホース又は水伝い具により接続されていることを特徴とする、請求項１〜７のいずれか一に記載した花卉植栽構造。
【請求項９】
植栽容器は、上面に注水口を、底部に排水口を有し、側面に植付部及び引きドアの如く開閉できる構成の培土交換窓を設けた構成であることを特徴とする、請求項１〜８のいずれか一に記載した花卉植栽構造。
【発明の詳細な説明】
【技術分野】
【０００１】
この発明は、上部に開口部を、底部に排水口を、側面に植付部をそれぞれ設けた簡易構造の植栽容器、一例として廃棄ペットボトルを加工して構成した植栽容器と、育苗ポットを用いて構成される花卉植栽構造の技術分野に属し、更に云うと、フェンス等の立ち壁や支柱型構造体へ植栽容器を取り付けた花卉植栽構造に関する。
【背景技術】
【０００２】
従来、住居のベランダフェンス或いは塀などを、例えば「ラティス」（登録商標）やネットフェンス等の如く植栽容器を取付け可能な構造とし、これに植栽容器を取付けて草花の植栽を楽しみ、且つ住宅を花卉で飾るガーデニングが広く実施されている。この種の用途に使用される多種多様な植栽容器が多く開示されている。
例えば、所謂ハンギングバスケットと称されるものが多数ある。特許文献１の「ハンギングバスケット用植栽袋」は、上部が開放された袋状の植栽部に予め上段、中段、下段に分けてそれぞれ左右対称に挿入口を形成し、各挿入口へ花卉類の苗を植え付け、吊り下げ部によってネットフェンス等へ吊り掛けて装飾的な植え込みを実現する。
【０００３】
また、特許文献２の「竹製栽培バスケット」は、竹材を組み合わせた所謂ハンギングバスケットである。上方を開口した主植栽部が形成され、その側面にも、上方を開口したポケット状植栽部が形成されている。よって、主植栽部だけでなく、ポケット状植栽部にも多くの植物を立体的に植えることができるのであり、ネットフェンス等へ吊り掛けて使用する。
【０００４】
更に、廃棄ペットボトルを利用した植栽容器も開示されている。例えば、特許文献３の「ペットボトルを利用した植物栽培器及びそれを用いた立体花壇」は、ペットボトルの底部を切り取って開口部を設け、一側面に植付孔を、反対面に取付孔を設けて当該ペットボトルを倒立させた植栽容器を、複数個上下方向に直列状態に接続して、最上部の植栽容器に注がれた水が順次下方へ流下するように上下方向に連結して立ち壁面へ取付け、ココファイバー等を用いて植付孔へ花卉類を植え込んで使用する。
【特許文献１】特開２００１−４５８７４号公報
【特許文献２】特開２０００−２０９９５２号公報
【特許文献３】特開２００４−４９１７９号公報
【発明の開示】
【発明が解決しようとする課題】
【０００５】
上記特許文献１又は２に開示されたハンギングバスケット等によるガーデニングは、簡易な方法により花卉類の装飾的な植え込みを行ない、ベランダフェンス等の立ち壁を花卉類で飾り緑化することが可能である。しかし、花卉類と当該花卉類を植え込んだバスケットとネットフェンス等の同一面側に位置することになる。よって、観賞する者の目には、花卉類のみならず植栽部も見えてしまう。これは要するに、植物を植えた植木鉢を単純に吊った外観でしかなく意匠的美観に乏しいものである。
【０００６】
また、住宅を花卉で飾るようなガーデニングを実現するためには複数のハンギングバスケットを購入、買い換え等をする必要があるので非常に費用が嵩むし、ハンギングバスケット一つ一つを個別に潅水する作業は非常に手間がかかるという問題点があった。
【０００７】
特許文献３に開示された発明は、廃棄ペットボトルを植栽容器として利用した点は注目に値するが、上記特許文献１又は２と同様に植栽容器と花卉類は同一側に位置しており、やはり意匠的美感に劣る点に変わりはない。また、狭い植付孔から花卉類を植え付ける作業は熟練者といえども非常に難しく誰でも簡単に実施できるとは云い難い。
【０００８】
本発明の目的は、上部に開口部を底部に排水口を、側面に植付部をそれぞれ設けた簡易構造の植栽容器と、育苗ポットを用いてフェンス等の立ち壁又は支柱型構造体を装飾する花卉植栽構造を提供することにある。
【０００９】
本発明の他の目的は、植栽容器として廃棄ペットボトルを利用でき、省資源効果と環境保全に寄与する花卉植栽構造を提供することにある。
【００１０】
本発明の異なる目的は、植栽容器をフェンス等の立ち壁の片側に取り付け、反対側面に花卉類のみが露出する構成又は、支柱型構造体の外周面へ取り付ける構成で実施する花卉植栽構造を提供することにある。
【課題を解決するための手段】
【００１１】
上記した課題を解決するための手段として、請求項１に記載した発明に係る花卉植栽構造は、
上部に開口部を、底部に排水口を、側面に植付部をそれぞれ設けてあり、前記開口部から培土を充填して成る植栽容器と、前記植栽容器を取付可能な構造のフェンス等の立ち壁と、花卉類を植え込んで成る育苗ポットとより成り、
前記植栽容器は、前記植付部を立ち壁と相対峙する配置として立ち壁の片側へ取り付けられており、立ち壁の反対側から育苗ポットが前記植栽容器の植込部へ植え込まれてその花卉類が立ち壁の反対側へ露出する構成とされていることを特徴とする。
【００１２】
請求項２記載の発明は、請求項１に記載した花卉植栽構造において、
植栽容器を隠蔽する不織布等のカバーが立ち壁における植栽容器の取り付け側面へ取り付けられていることを特徴とする。
【００１３】
請求項３に記載した発明に係る花卉植栽構造は、
上部に開口部を、底部に排水口を、側面に植付部をそれぞれ設けてあり、前記開口部から培土を充填して成る植栽容器と、前記植栽容器を取付可能な構造の支柱型構造体と、花卉類を植え込んで成る育苗ポットとより成り、
前記植栽容器は、その植付部が外側に向く配置で支柱型構造体の外周面へ取り付けられており、育苗ポットが前記植栽容器の植付部へ植え込まれていることを特徴とする。
【００１４】
請求項４記載の発明は、請求項３に記載した花卉植栽構造において、
前記植栽容器及び支柱型構造体を隠蔽する化粧カバーが支柱型構造体の高さ方向の周面全体に巻かれ、少なくとも前記育苗ポットと花卉類のみが露出する構成とされていることを特徴とする。
【００１５】
請求項５記載の発明は、請求項１〜４のいずれか一に記載した花卉植栽構造において、
立ち壁又は支柱型構造体に取り付けられる複数個の植栽容器は、上下方向に一定の間隔をあけた列状の配置で取り付けられていること特徴とする。
【００１６】
請求項６記載の発明は、請求項１〜５のいずれか一に記載した花卉植栽構造において、
植栽容器は底部を切り取り、側面に植付部を設けた廃棄ペットボトルを倒立させ、前記底部を切り取った開口部から培土を収納して成ることを特徴とする。
【００１７】
請求項７記載の発明は、請求項１〜６のいずれか一に記載した花卉植栽構造において、
植栽容器の排水口の上に、培土を支持するフィルターが設置されていることを特徴とする。
【００１８】
請求項８記載の発明は、請求項１〜７のいずれか一に記載した花卉植栽構造において、
植栽容器の下向きの排水口と、下位の植栽容器の上向き開口部との間がホース又は水伝い具により接続されていることを特徴とする。
【００１９】
請求項９記載の発明は、請求項１〜８のいずれか一に記載した花卉植栽構造において、
植栽容器は、底部に注ぎ口を有し、側面に植付部及び引きドアの如く開閉できる構成の培土交換窓を設けた構成であることを特徴とする。
【発明の効果】
【００２０】
請求項１〜９に記載した発明に係るペットボトルを利用した花卉植栽構造によれば、以下のような効果がある。
（１）上部に開口部を底部に排水口を、側面に植付部をそれぞれ設けた、例えば簡易構造の植栽容器と育苗ポットを用いた構造としたため、安価で且つ誰でも簡単に立ち壁又は支柱型構造体を装飾できる。
（２）植栽容器に廃棄ペットボトルを加工して再利用した構成とすることができ、省資源化と自然環境に優しく、安価であるほか、植栽容器の周壁が透明であるため、土の乾き具合、花卉類の根の状態等々が一目瞭然となり潅水及び施肥の目安と管理が簡単で適切に行うことができる。
（３）立ち壁の片側（裏側）に植栽容器を取り付ける構成の場合、前記植栽容器が隠れ、前記立ち壁の反対側は、育苗ポットで植え付けた花卉類のみが際だって見えるので意匠的美観が高められる。
（４）支柱型構造体の外周面へ植栽容器を取り付ける構成の場合、３６０°方向の立体的なスケールで意匠的美観が非常に高い花卉植栽構造を実現できる。また、横幅を取らないため限られた場所においても実施することができる。
（５）最上部の植栽容器へ水を注ぐという簡単な作業だけで全ての植栽容器へ水分を提供できるので潅水作業が非常に簡単である。
（６）植栽容器の一側面に開閉可能に形成した培土交換窓を設けたので、植栽容器を立ち壁面又は支柱型構造体へ取り付けた状態のままで培土の交換や施肥等々の作業を容易に行うことができる。
【発明を実施するための最良の形態】
【００２１】
上部に開口部２を、底部に排水口３を、側面に植付部４をそれぞれ設けてあり、前記開口部２から培土２０を充填して成る植栽容器１と、前記植栽容器１を取付可能な構造のフェンス等の立ち壁３０と、花卉類４０を植え込んで成る育苗ポット５０とから構成されている。
前記植栽容器１は、前記植付部４が立ち壁３０と相対峙する配置として立ち壁３０の片側へ取り付けられており、立ち壁３０の反対側から前記育苗ポット５０が前記植栽容器１の植込部４へ植え込まれ、花卉類が立ち壁３０の反対側へ露出する構成である。
【実施例１】
【００２２】
本発明の花卉植栽構造は、図１に示すように、上部に開口部２、底部に排水口３、一側面に植付部４を設け、前記開口部２から培土２０を充填して成る簡易な構造の植栽容器１と、前記植栽容器１を取付け可能な構造のフェンス等の立ち壁３０と、花卉類４０を植え込んで成る育苗ポット５０とから構成されており、戸建て住宅、マンション等の住宅のベランダフェンス又は塀などの所謂立ち壁３０を利用して好適に実施される。特にはラティス（登録商標）等を立ち壁３０として実施することが好ましい。立ち壁３０はこの限りではなく、単に花卉植栽構造の実施を楽しむため地面等の上へ立てた例えば、衝立障子の如く下縁を台で支持させた独立壁の構成で実施することもできる。
前記立ち壁３０の片側Ａつまり植栽容器１の取り付け側面には前記植栽容器１を隠蔽する目的の不織布等のカバー３０ａを取り付けている（請求項２記載の発明）（図２を参照）。
【００２３】
前記植栽容器１は、例えば透明のプラスチック成型品等の軽量で植栽容器内の土の乾き具合や、根の状態等々が一目瞭然となるものが好ましい。また、水分を浸透可能な植物繊維や不織布等の材質で成る成型品を使用して植栽容器の全面へ向けて散水できるようにしても良い。
【００２４】
前記植付部４は、米印状の切り込みであり、前記育苗ポット５０を挿入できる幅寸とされている。切り込みの形状は、図示例の限りではなく、一文字状、Ｖ字状、×字状その他の形状や単に孔としても良い。つまり、育苗ポット５０が挿入できる形状であればよい。
植栽容器１の排水口３（ペットボトル頂部の注ぎ口）の上には培土２０を支持するフィルター５が設置されている（請求項７記載の発明）。前記フィルター５は培土２０が落下することを防止できる程度の強度と、水分を通過させる通水性を有する例えばスポンジ等を使用する。
【００２５】
上記のように構成された植栽容器１は、前記植付部４が立ち壁３０と相対峙する配置として前記立ち壁３０の片側Ａ（裏側）へ複数個取り付けられる。具体的には、図２が示すように、最上部の植栽容器１に注がれた水が下向きの排水口３から順次下方の植栽容器へ流下するように上下方向に一定の間隔をあけた直列状の配置で複数個、且つ横方向に複数列取り付ける事が好ましい（請求項５記載の発明）。勿論、図示例の配置に限らず、例えば段違いにずらした列状の配置とする等利用者の所望する場所へ自由な配置で実施することが可能である。
取付方法としては、植栽容器１を所望の位置へ配置した後、立ち壁３０に向かってステープル等で打ち付けて取り付けられる。
【００２６】
上記のように立ち壁３０の片側Ａへ取付けられた植栽容器１内へ培土２０を充填する。充填される培土２０には、椰子の実の繊維で成る「ココファイバー」や「ココピート」（登録商標）又は「ピートモス」（登録商標）、杉や檜等の樹皮培土又は「パーライト」（登録商標）、更に「バーミキュライト」（登録商標）、等の発泡させた小石（軽石）を使用した軽量のものが好適に使用される。
【００２７】
上記育苗ポット５０は、例えば、特願２００３−４９０８４号、意願２００３−１２９１号、又は実願２００３−２９１７号に記載したように、先細の円錐形状等の筒体を垂直方向に二分した、又は垂直方向に二分し且つ一側縁を開閉可能に繋ぎ合わせた構成とされている。育苗ポット５０の内側へ培土及び花卉類４０を収納した後、向かい合わせに組合せ、不離一体的に組立てられている。育苗ポット５０の筒壁部には、収納された培土が漏れない形状、大きさの複数の通孔５０ａ（スリット）が形成されている。前記通孔５０ａは育苗ポット５０内の培土の空気の通気、水分の排水性を保つと共に、花卉類６０の成長に伴う根の伸び出しを許容する。
【００２８】
しかる後に、図１、図３に示すように、立ち壁３０の反対側Ｂ（表側）から、予め花卉類４０を植え込んで用意した育苗ポット５０を、前記植栽容器１の植付部４へ向かって、育苗ポット５０を直接差し込むという非常に簡単な作業で植え込まれる。したがって、植栽容器１と育苗ポット５０は立ち壁３０の両側に分かれて位置されるので、表側Ｂからは花卉類６の露出度が大きく際だって印象的に視認され立ち壁３０の意匠的美観に優れる。
【００２９】
また、育苗ポット５０を使用して花卉類４０を植え込むので、当該花卉類４０が枯れた等の不都合が生じた場合には、当該育苗ポット５０のみを前記の方法で交換すればよいので、植え替え等のメンテナンスが極めて容易となる。育苗ポット５０の植え込み角度は真横でも良いし、やや上向きに角度を設けて装飾性を高めても良い。
【００３０】
斯くして、図４に示すように、立ち壁３０の外面部が成長・繁茂した花卉類４０により覆われると、花卉類４０によって意匠的美観を高めた花卉植栽構造を構築できる。したがって、一般家庭等においてもガーデニングの趣味を有する人々が前記花卉植栽構造を自由なデザイン設計で、容易に施工・実施して楽しむことができる。勿論、花の色や種類等を工夫して配置して装飾性、色彩に富むように実施することが好ましい。また、植栽容器を１…を直列状に配置すると、最上部の植栽容器１へ水を注ぐだけで下までの全ての植栽容器１…へ流下して水分を提供することができるので潅水作業は非常に楽である。  
【００３１】
最上部の植栽容器１へ注がれた水が下向きの排水口３から順次下方の植栽容器へ適切に流下させるために、植栽容器１を上下方向の直列状に配置するほか、図５及び図６に示す方法を実施することもできる。つまり、植栽容器１の下向きの排水口３と、下位の植栽容器の上向き開口部２との間をホース６０を（図５）若しくは水伝い具７０を取り付けて（図６）植栽容器１間の水の流下を案内するように接続した構成で実施することができる（請求項８記載の発明）。
【００３２】
前記ホース６０は、例えば一般的に使用されている伸縮自在なゴム製のものでよく、植栽容器１間の間隔に合わせてその長さに切断して用意され、排水口３へ被せるようにねじ付ける。
前記水伝い具７０はＴ字形状とされており、排水口３の直径よりも長く形成された頂部の中心から適切な間隔を有した水伝い材が吊り下げられている。したがって、水伝い具７０は、フィルター５よりも先に植栽容器１の開口部２から差し入れて予め配置しておく。
前記ホース６０又は水伝い具７０は、特に段違いにずらすなど自由な配置に伴い、排水口３の直下に下位の植栽容器１の開口部２が配置されていない場合には、流下させたい所望の植栽容器１の開口部２内へ、前記ホース６０又は水伝い具７０の下端を強制的に導き入れて設置することが積極的に行われる。斯くすると、自由な配置であっても最上部の植栽容器１へ水を注ぐだけで下位の植栽容器１まで水を提供できるので潅水作業は非常に簡易となる。
【００３３】
またこの実施形態で使用される植栽容器１、立ち壁３０、育苗ポット５０等を一連のセット（キット）として花卉植栽構造の大きさや花卉類の種類に応じて成型しても良い。
【実施例２】
【００３４】
実施例２は、実施例１とほぼ同様の技術的思想であり、支柱型構造体８０へ植栽容器１を取り付ける点が特に相違する。以下に実施例１との相違点を中心に図面に基づいて説明する。
本実施例の花卉植栽構造は図７に示すように、実施例１と同様の構成の植栽容器１を使用し、その植付部４が外側を向く配置として支柱型構造体８０の外周面へ取り付けられる。前記支柱型構造体８０は好ましくは、その断面が矩形状（四角形）のものを使用し、図８の平面図に示したように１辺ずつに植栽容器１を取り付けるようにする。勿論この限りではなく、断面が円形状、三角形状、五角形状、六角形状等の支柱を使用でき、例えばドラム缶のように直径が大きなものを支柱型構造体として使用して、迫力のある花卉植栽構造を実施することもできる。
取付方法は実施例１で記載したように、例えば植栽容器１を所望の箇所へ配置し支柱型構造体８０の各側面に向かってステープル等で打ち付けて取り付けられる。
【００３５】
植栽容器１の配置は実施例１とほぼ同様で、図９に示すように、複数個の植栽容器１が、最上部の植栽容器１へ注がれた水が下向きの排水口３から順次下方の植栽容器１…へ流下するように上下方向に一定の間隔をあけた直列状の配置で支柱型構造体８０の外周面へ取り付ける事が好ましい。
勿論、実施例１と同様に植栽容器１の下向きの排水口３と、下位の植栽容器１の上向き開口部２との間がホース６０又は水伝い具７０により下位へ水の流下を案内する構成も実施できる。
【００３６】
その後、図１０に示すように、支柱型構造体８０の高さ方向の周面全体に前記植栽容器を覆うように化粧カバー９０が巻かれ、少なくとも育苗ポット５０と花卉類４０のみが露出する構成とされる。つまり、植栽容器１と支柱型構造体８０がを完全に見えないように隠蔽するのである。化粧カバー９０は例えば不織布等の帯状の布が好適に使用されるが、意匠的美観に富むような配色、模様等を設けた布を使用してオブジェのように実施することもできる。
そして、前記化粧カバー９０の上から前記育苗ポット５０が前記植栽容器１の植込部４へ植え込んで、花卉類のみが露出する構成とする。植え込む際に化粧用カバー９０の所定箇所へカッター等により切り込みを入れておくと良い。
【００３７】
勿論、育苗ポット５０の植え付け手順はこの限りではなく、例えば化粧カバー９０を巻き付けずに単に植栽容器１の植付部４へ直接育苗ポット５０を植え込んだ構成としても良い。
斯くして、３６０°方向の立体的なスケールで意匠的美観を高めた花卉植栽構造を実現できるのである。
【実施例３】
【００３８】
実施例３は、実施例１、２で使用された植栽容器１の他の実施例として、廃棄ペットボトルを再利用して花卉植栽構造を実施するものである。以下に、廃棄ペットボトルを上記実施例１、２の植栽容器１と同様の構成に加工する手順を説明する。
先ず、図１１に示すように、廃棄ペットボトルの底部を矢印線に沿って水平に且つ内側に培土２０が収納可能な程度に切り取って開口部２を設ける。切り取り位置（深さ）は花卉類４０の種類又は大きさ、育苗ポット５０の大きさ等々から判断される。次にその一側面に植付部４を設ける。植付部４は米印状、一文字状、Ｖ字状、×字状の切り込みとする等育苗ポットが挿入できる形状であれば良い。
排水口２は廃棄ペットボトルに予め具備されている頂部の注ぎ口を利用する。図１２に示すように開口部２を上向きになるように倒立させた状態とし、排水口３（注ぎ口）の口径よりも幅広のフィルター５を当該排水口３の上に載置して実施例１、２と略同構造の植栽容器１が加工される（請求項８記載の発明）。
上記のように構成された廃棄ペットボトルで成る植栽容器１は、植栽容器１の開口部２が上向きになるように倒立させた姿勢で、実施例１の立ち壁３０の片側Ａ（裏側）へ又は実施例２の支柱型構造体８０の外周面へ複数個取り付けられる。その後、前記上向きにさせた開口部２から培土２０を充填し、育苗ポット５０により花卉類４０が植え付けられる。
なお、実施例１、２で説明したように、立ち壁３０へ取り付ける場合は、前記植付部４を立ち壁３０と相対峙する配置とし、支柱型構造体８０へ取り付ける場合は、植付部４が外側に向く配置となるようにする。
【００３９】
廃棄ペットボトルから成る植栽容器１を使用すると省資源化と自然環境に優しく非常に安価で実施することができるし、透明であるために植栽容器１内の花卉類の状態及び水の乾く具合等々が一目瞭然であるため潅水及び施肥の目安と管理を簡易で適切に行うことができる。
【実施例４】
【００４０】
実施例４は、実施例１、２に使用される前記植栽容器１の他の実施例として、図１３に示すように、上面に注水口８を、底部に排水口３を有し、側面に植付部４及び引きドアの如く開閉できるように形成された培土交換窓６が設けられたものを使用した花卉植栽構造を実施するものである（請求項９記載の発明）。前記培土交換窓６は例えば、開口部２の所望位置からコ字形に３辺切り込みを入れ一側縁を残して開閉可能とし、開放側縁は着脱可能なガムテープ等のテープ材７を取り付けて成る。勿論この実施の形態に限らず、残した一側縁の縦辺に複数の薄肉ヒンジを取り付けたり、テープ材のみならずホッチキス等を用いても良い。図示例では、プラスチック等の軽量の成型品であるが、実施例３の廃棄ペットボトルを加工して実施することもできる。
【００４１】
上記のように構成された植栽容器１は、実施例３と同様に、立ち壁３０又は支柱型構造体８０へ取り付けて実施される。
したがって、植栽容器１を立ち壁３０又は支柱型構造体８０へ取り付けたままの状態で培土の交換及び施肥作業を行うことができる。
【００４２】
以上に実施形態を図面に基づいて説明したが、本発明は、図示例の限りではなく、その技術的思想を逸脱しない範囲において、当業者が通常に行う設計変更、応用のバリエーションの範囲を含むことを念のため言及する。例えば、殺風景な工事現場の遮蔽壁へ適用することも考えられる。つまり、従来の鉄板等で成る遮蔽壁の片側（表側）へ、本発明による花卉植栽構造を配置して２重壁として使用するのである。
【図面の簡単な説明】
【００４３】
【図１】本発明に係る花卉植栽構造の実施例１を概略的に示した斜視図である。
【図２】植栽容器を立ち壁の片側への配置例を示した斜視図である。
【図３】本発明に係る花卉植栽構造の実施形態を示した断面図である。
【図４】本発明に係る花卉植栽構造の実施形態の一例を示した斜視図である。
【図５】植栽容器の口部へホースを取り付けた側面図である。
【図６】植栽容器の口部へ水伝い具を取り付けた側面図である。
【図７】本発明に係る花卉植栽構造の実施例２を概略的に示した斜視図である。
【図８】実施例２の植栽容器を支柱型構造体への配置例を示した平面図である。
【図９】実施例２の植栽容器を支柱型構造体への配置例を示した斜視図である。
【図１０】本発明に係る花卉植栽構造の実施例２の実施形態の一例を示した斜視図である。
【図１１】ペットボトルを植栽容器として利用する一例を示した斜視図である。
【図１２】ペットボトルを倒立させ排水口へフィルターを取り付けた一例を示した斜視図である。
【図１３】本発明に係る花卉植栽構造に使用される植栽容器の実施例４を示した斜視図である。
【符号の説明】
【００４４】
１            植栽容器
２            開口部
３            排水口
４            植付部
５            フィルター
６            培土交換窓
７            テープ材
８            注水口
２０          培土
３０          立ち壁
３０ａ        カバー材
４０          花卉類
５０          育苗ポット
６０          ホース
７０          水伝い具
８０          支柱型構造体
９０          化粧カバー
【図１】
2005270052.tif 000003
【図２】
2005270052.tif 000004
【図３】
2005270052.tif 000005
【図４】
2005270052.tif 000006
【図５】
2005270052.tif 000007
【図６】
2005270052.tif 000008
【図７】
2005270052.tif 000009
【図８】
2005270052.tif 000010
【図９】
2005270052.tif 000011
【図１０】
2005270052.tif 000012
【図１１】
2005270052.tif 000013
【図１２】
2005270052.tif 000014
【図１３】
2005270052.tif 000015